(57)【要約】      （修正有）【課題】高齢者や呼吸機能のトレーニングが必要な方に使用することを想定した可搬式呼吸機能トレーニング装置を提供する。【解決手段】呼吸機能トレーニング装置１は、内腔を有する外筒１１と、外筒内腔と連絡する管路を有したマウスピース部２と、外筒内腔と外気を連絡する開口穴１２と、外筒内腔内に位置する移動体３を有し、移動体３には呼気、吸気を受け止める風受面３１と、マウスピース開口から外筒内腔に飛び出ることを防ぐ係止部３２と、外筒内腔断面を密閉状態に塞がないクリアランス部を有している。【選択図】図２
0003221654.tif 000002
【実用新案登録請求の範囲】
【請求項１】
呼吸機能のトレーニングをおこなう呼吸機能トレーニング装置において、
内腔を有する外筒と
外筒内腔と連絡する管路を有したマウスピース部と
外筒内腔と外気を連絡する少なくとも1つ以上の開口穴と
外筒内腔内に位置する移動体を有し
移動体には呼気、吸気を受け止める風受面と
マウスピース開口から移動体が外に飛び出ることを防ぐ係止部と
外筒内腔と移動体の間を密閉状態に塞がないクリアランス部を有している
ことを特徴とする。
【請求項２】
移動体の一部が外筒外に突出しており、移動体の位置を手で移動することができる
ことを特徴とする請求項1の呼吸器トレーニング装置
【請求項３】
移動体の移動を感知する機構を有している
ことを特徴とする請求項1の呼吸器トレーニング装置
【考案の詳細な説明】
【技術分野】
【０００１】
この発明は、高齢者や呼吸機能のトレーニングが必要な方に使用することを想定した可搬式呼吸機能トレーニング装置に関する。
【背景技術】
【０００２】
従来の技術として、羽根状の回転体を有した訓練装置や、ストローと液体を用いた訓練装置がある。
【０００３】
回転体を有した呼吸訓練装置は、吹く力で羽を回転する機構を有している。
【０００４】
液体を用いた呼吸訓練装置は、ストローで液体を吹くことで呼吸機能のトレーニングをおこなうものである。
【０００５】
いずれも高齢者や呼吸機能のトレーニングが必要な方に使用することを特徴とする。
【先行技術文献】
【特許文献】
【０００６】
【特許文献１】特開２０１４−１１７５４２号公報
【０００７】
【特許文献２】特開２０１７−２０２１８１号公報
【考案の概要】
【考案が解決しようとする課題】
【０００８】
しかしながら、これらの装置では、訓練場所や意思伝達が難しい痴呆患者等に使うには課題があった。
【０００９】
回転体を有した呼吸訓練装置は、その構造から装置が大掛かりとなるため、平らなテーブルが必要という課題があった。
【００１０】
また、息を吹くトレーニングは可能であるが、息を吸うトレーニングはできないという課題がある。
【００１１】
液体を用いた呼吸訓練装置は、意思伝達が難しい痴呆患者等に使用する場合、息を吹く指示をしても、誤って液体を吸ってしまうリスクがある。
【００１２】
また、水等の液体を使うため、カバンに入れて持ち運ぶには液漏れや重さの点で不便がある。
【００１３】
また、呼吸機能のトレーニングは、空いた時間を利用してトレーニングすることが好ましく、使用者が手軽に持ち運べることが重要である。
【００１４】
呼吸機能のトレーニングはトレーニング回数がカウントできることが望ましいが、回転体を有した訓練装置や液体を用いた訓練装置は、回数としてのカウントが難しい。
【００１５】
これらの場合、使用時間を記録することは可能であるが、患者の負荷を一律にコントロールすることができないという課題がある。
【００１６】
近年、医学的なエビデンスが重要となっているが、患者の負荷が一律でない場合、患者間比較が難しくなる。
【課題を解決するための手段】
【００１７】
以上の課題を解決するために、本発明は、持ち運びが容易でトレーニングの回数がカウント可能な装置であることを特徴とする。
【考案の効果】
【００１８】
本発明によれば、高齢者や呼吸機能の弱い患者に対し、場所を問わず、手軽に吹く、吸う両方のトレーニングが行え、また、トレーニングの回数カウントも可能である。
【図面の簡単な説明】
【００１９】
【図１】この発明の使用場面を示す図である。
【図２】この発明の第一の実施形態を示す外観図である。
【図３】この発明の第二の実施形態を示す外観図である。
【図４】この発明の第一の実施形態のマウスピース部の正面図である。
【図５】この発明の第一の実施形態の外筒１１と移動体３の断面図である。
【図６】この発明の第一の実施形態の開口穴１２の正面図である。
【図７】この発明の第三の実施形態を示す外観図である。
【考案を実施するための形態】
【００２０】
この発明の第一の実施形態を図１、図２に示す。
【００２１】
可搬式呼吸機能トレーニング装置1は、
内腔を有する外筒１１と
外筒内腔と連絡する管路を有したマウスピース部２と
外筒内腔と外気を連絡する少なくとも1つ以上の開口穴１２と
外筒内腔１３内に位置する移動体３を有し
移動体３には呼気、吸気を受け止める風受面３１と
マウスピース開口２１から移動体３が外に飛び出ることを防ぐ係止部３２と
外筒内腔断面を密閉状態に塞がないクリアランス部３３を
を有している。
【００２２】
外筒１１は内腔に位置する移動体３が見える構造となっている。透明素材や筒の一部に中身が見えるような切り欠き等がある構造でも構わない。材質はアクリルやABS、ポリカ等の透明樹脂の他、色付きの樹脂や金属でも構わない。また、硬質素材だけでなく、ホースの様に曲がる材質でも構わない。
【００２３】
マウスピース部２は、外筒１１に対して着脱自在とすることで、洗浄が容易となる。マウスピース部２の開口部２１は、外筒内腔１３の断面積よりも小さいことが望ましい。また、唇でくわえすいように断面が略扁平上になっていることが望ましい。
【００２４】
開口穴１２は外気と通じており、マウスピースを吹く、もしくは、吸う操作により、息を送り出す、もしくは、外気を吸うことができる。開口の大きさを変えることで、呼吸器トレーニングの負荷を調整することができる。また、開口穴１２を有する部材は滑り性の高い材質、構造とすることでトレーニングの負荷を軽くすることができる。逆に滑り性の悪い材質、構造とすることでトレーニングの負荷を高くすることができる。
【００２５】
移動体３は、外筒内腔１３内に位置しており、息を吸う、もしくは、吹く操作に連動して外筒内腔１３内を動くことが可能である。移動体３の重量を変えることで、トレーニングの負荷を調整できる。また、回転体が動くことと連動して音を発する機構を設けても良い。
【００２６】
また、移動体３はマウスピース開口２１から移動体全体が外に飛び出ないように係止部３２が備わっている。
【００２７】
クリアランス部３３は、外筒内腔断面を密閉状態に塞がない様、移動体３と外筒内面１４との間にクリアランスを有している。
【００２８】
移動体３の一部に呼気、吸気が通る風通穴３４を有しても良い。クリアランス部３３の面積、風通穴３４の面積を変えることで、トレーニングの負荷を調整できる。
【００２９】
この発明の第二の実施形態を図３に示す。
【００３０】
移動体３の一部は、外筒１１の外に位置しており、吸う力が弱い方でも、吹いたのちに、手で移動体３を元の位置に動かすことが可能である。
【００３１】
図４はマウスピース部の正面図を示す。
【００３２】
図５は外筒１１と移動体３の断面図を示す。
【００３３】
図６は開口穴１２の正面図を示す。
【００３４】
この発明の第三の実施形態を図７に示す。
【００３５】
移動体３の移動が感知可能な感知機構４が備わっている。感知機構４は移動体３との接触で稼働するメカニカルスイッチや感圧センサー、移動体３に設置した磁石に反応する磁気センサー、外筒内の圧力を感知する圧力センサー等、いずれでの機構でも構わない。感知機構４からの情報は、有線、もしくは無線を通じて、図示しないパソコン等で数値として表示可能である。
【００３６】
「実施形態の効果」
この実施形態によれば、高齢者や呼吸機能の弱まった患者に対し、場所を問わず、手軽に呼吸機能のトレーニングを行える効果がある。
【符号の説明】
【００３７】
１・・・可搬式呼吸機能トレーニング装置
１１・・・外筒
１２・・・開口穴
１３・・・外筒内腔
１４・・・外筒内面
２・・・マウスピース部
２１・・・マウスピース開口
３・・・移動体
３１・・・風受面
３２・・・係止部
３３・・・クリアランス部
３４・・・風通穴
４・・・感知機構
【図１】
0003221654.tif 000003
【図２】
0003221654.tif 000004
【図３】
0003221654.tif 000005
【図４】
0003221654.tif 000006
【図５】
0003221654.tif 000007
【図６】
0003221654.tif 000008
【図７】
0003221654.tif 000009
【手続補正書】
【提出日】平成31年3月11日(2019.3.11)
【手続補正１】
【補正対象書類名】実用新案登録請求の範囲
【補正対象項目名】全文
【補正方法】変更
【補正の内容】
【実用新案登録請求の範囲】
【請求項１】
呼吸機能のトレーニングをおこなう可搬式呼吸機能トレーニング装置において、
内腔を有する外筒と
外筒内腔と連絡する管路を有したマウスピース部と
外筒内腔と外気を連絡する少なくとも1つ以上の開口穴と
外筒内腔内に位置する移動体を有し
移動体には呼気、吸気を受け止める風受面と
マウスピース開口から移動体が外に飛び出ることを防ぐ係止部と
外筒内腔と移動体の間を密閉状態に塞がないクリアランス部を有している
ことを特徴とする可搬式呼吸機能トレーニング装置。
【請求項２】
移動体の一部が外筒外に突出しており、移動体の位置を手で移動することができる
ことを特徴とする請求項1の可搬式呼吸機能トレーニング装置。
【請求項３】
移動体の移動を感知するセンサーもしくはスイッチ機構を有している
ことを特徴とする請求項1の可搬式呼吸機能トレーニング装置。